(57)【要約】【課題】  除湿ヒータを画像形成装置に後付けする場合や、メンテナンスのために除湿ヒータを着脱する場合において、それらの作業を手間をかけず容易に行えるようにする。【解決手段】  記録用紙を収容保持する用紙収容部が装置本体２に設けられ、用紙収容部から給紙された記録用紙に対して画像形成を行う画像形成装置において、画像形成装置を構成する構成部材を支持して装置本体２に着脱可能に取り付けられた支持体２１と、支持体２１に取り付けらけた除湿ヒータ２５とを具備する。これにより、除湿ヒータ２５を画像形成装置１に後付けする作業や、除湿ヒータ２５のメンテナンス時における除湿ヒータ２５の着脱作業を、装置本体２から取り外した支持体２１上で行うことができ、それらの作業を視認性の良い状態で手間をかけず容易に行える。【選択図】    図２
2005084189.tif 000002
【特許請求の範囲】
【請求項１】
記録用紙を収容保持する用紙収容部が装置本体に設けられ、前記用紙収容部から給紙された記録用紙に対して画像形成を行う画像形成装置において、
前記画像形成装置を構成する構成部材を支持して前記装置本体に着脱可能に取り付けられた支持体と、
前記支持体に取り付けらけた除湿ヒータと、
を具備することを特徴とする画像形成装置。
【請求項２】
前記支持体に支持された構成部材は電装基板であり、前記電装基板に前記除湿ヒータが接続されていることを特徴とする請求項１記載の画像形成装置。
【請求項３】
前記除湿ヒータの配線が前記支持体上で完結していることを特徴とする請求項２記載の画像形成装置。
【発明の詳細な説明】
【技術分野】
【０００１】
本発明は、画像形成装置に関する。
【背景技術】
【０００２】
複写機、プリンタ、ファクシミリ等の画像形成装置では、梅雨などの湿度が高い時期には、給紙トレイなどの用紙収容部に収容保持された記録用紙が湿気を帯びてしまい、ジャムなどの用紙搬送不具合の原因となっている。
【０００３】
このため、この湿気を除去する目的で用紙収容部の周辺に除湿ヒータを設置した画像形成装置が知られている（例えば、特許文献１参照）。
【０００４】
【特許文献１】特開平０７−１１７８７８号公報
【発明の開示】
【発明が解決しようとする課題】
【０００５】
除湿ヒータはオプションとして設けられ、完成した画像形成装置の装置本体に後付けされる場合が多い。除湿ヒータを装置本体に後付けする場合、視認性の悪い位置での取り付け作業を伴うことになり、装置本体への除湿ヒータの取り付け作業が煩雑になり、手間がかかっている。
【０００６】
また、除湿ヒータのメンテナンス時には、除湿ヒータの取り外しや取り付けを視認性の悪い位置で行うことになり、それらの作業が煩雑になり、手間がかかっている。
【０００７】
本発明の目的は、除湿ヒータを画像形成装置の装置本体に後付けする場合や、メンテナンスのために除湿装置を着脱する場合において、それらの作業を手間をかけずに容易に行えるようにすることである。
【課題を解決するための手段】
【０００８】
請求項１記載の発明は、記録用紙を収容保持する用紙収容部が装置本体に設けられ、前記用紙収容部から給紙された記録用紙に対して画像形成を行う画像形成装置において、前記画像形成装置を構成する構成部材を支持して前記装置本体に着脱可能に取り付けられた支持体と、前記支持体に取り付けらけた除湿ヒータと、を具備することを特徴とする。
【０００９】
したがって、画像形成装置に除湿ヒータを後付けする場合や、メンテナンスのために除湿ヒータを着脱する場合において、支持体を装置本体から取り外し、その支持体に対して除湿ヒータの取り付け、取り外し等を行える。これらの作業は、装置本体から取り外した支持体上で行えるので視認性が良く、手間をかけずに容易に行える。
【００１０】
また、除湿ヒータが取り付けられる支持体は、除湿ヒータを取り付けるための専用部品ではなく画像形成装置の構成部品を支持している部材であるので、安価な構造で除湿ヒータの取り付けを行える。
【００１１】
請求項２記載の発明は、請求項１記載の画像形成装置において、前記支持体に支持された構成部材は電装基板であり、前記電装基板に前記除湿ヒータが接続されていることを特徴とする。
【００１２】
したがって、支持体上に除湿ヒータを取り付けた際に行うべき除湿ヒータへの給電のための配線を支持体上で行えるので、その配線作業を手間をかけず容易に行える。
【００１３】
請求項３記載の発明は、請求項２記載の画像形成装置において、前記除湿ヒータの配線が前記支持体上で完結していることを特徴とする。
【００１４】
ここで、除湿ヒータの配線が支持体上で完結しているとは、除湿ヒータに関係する配線、例えば、スイッチ等に接続された配線も全て支持体上で行われ、除湿ヒータに関係する配線が支持体の外部に引き出されていないことを意味する。
【００１５】
したがって、支持体に支持されている電装基板や除湿ヒータ等のメンテナンス等のために支持体を装置本体に対して着脱する場合において、その着脱に伴って除湿ヒータに接続されている配線のコネクタ部分を着脱する必要がなく、支持体を装置本体に対して着脱する載置の作業が簡便化される。
【発明の効果】
【００１６】
請求項１記載の発明によれば、除湿ヒータを画像形成装置に後付けする作業や、除湿ヒータのメンテナンス時における除湿ヒータの着脱作業を、装置本体から取り外した支持体上で行うことができ、それらの作業を視認性の良い状態で手間をかけず容易に行うことができる。
【００１７】
請求項２記載の発明によれば、支持体に除湿ヒータを取り付ける際に行うべき除湿ヒータへの給電のための配線を支持体上で行うことができ、除湿ヒータに給電するための配線作業を手間をかけず容易に行うことができる。
【００１８】
請求項３記載の発明によれば、電装基板や除湿ヒータのメンテナンス等のために支持体を装置本体に対して着脱する場合において、その着脱に伴って除湿ヒータに接続されている配線のコネクタ部分を着脱する必要がなく、支持体を装置本体に対して着脱する作業を簡便化することができる。
【発明を実施するための最良の形態】
【００１９】
本発明の一実施の形態を図面に基づいて説明する。図１は画像形成装置であるカラープリンタの内部の概略構造を示す正面図、図２は電装ユニットをプリンタの装置本体から取り外した状態を示す分解斜視図、図３は除湿ヒータが取り付けられた電装ユニットを示す斜視図である。
【００２０】
まず、このカラープリンタ１の内部構造について説明する。このカラープリンタ１の装置本体２内には、画像形成部３、光書込ユニット４、用紙収納部である給紙カセット５、定着装置６等が収納されている。
【００２１】
画像形成部３は、それぞれ異なる色のトナー像を形成する４つの作像ユニット７Ｙ，７Ｃ，７Ｍ，７Ｋ（Ｙ、Ｃ、Ｍ、Ｋの添え字はそれぞれイエロー、シアン、マゼンタ、ブラックの色を意味する。）、これらの作像ユニット７の上側に位置する中間転写ユニット８、二次転写ローラ９等から構成されている。
【００２２】
４つの作像ユニット７の構造は同じあり、矢印方向に回転駆動される感光体１０、この感光体１０の周囲に静電写真プロセスの順に配置された帯電ローラ１１、現像装置１２、クリーニング装置１３等により構成されている。４つの感光体１０は互いに平行であって等間隔に配置されている。各感光体１０は、例えば、直径３０〜１００ｍｍ程度のアルミニウム円筒表面に光導電性物質である有機半導体層を設けた構成とされている。
【００２３】
中間転写ユニット８は、中間転写ベルト１４、中間転写ベルト１４を回転可能に支持する複数のローラ１５、４つの一次転写ローラ１６、クリーニング装置１７等により構成されている。中間転写ベルト１５は、例えば、基体の厚さが５０〜６００μｍの樹脂フィルム或いはゴムを基体とするベルトであって、感光体１０上のトナー像を転写可能とする抵抗値を有している。
【００２４】
光書込ユニット４は作像ユニット７の下側に配置され、各色ごとの画像データに対応するレーザー光を感光体１０の表面に向けて照射し、感光体１０の表面に静電潜像を形成する。各帯電ローラ１１と各現像装置１２との間には、この光書込ユニット４から照射されるレーザー光が通過する細長いスリットが形成されている。この光書込ユニット４としては、レーザー光源、ポリゴンミラー等を用いたレーザースキャン方式のものを示しているが、ＬＥＤアレイと結像手段とを組合せた方式のものを用いてもよい。
【００２５】
給紙カセット５内には記録用紙Ｓが収容保持され、この記録用紙Ｓは給紙ローラ１８により一枚ずつ分離して給紙される。
【００２６】
定着装置６は、定着ローラ６ａと加圧ローラ６ｂとを備え、トナー像が転写された記録用紙Ｓに熱と圧力とを加えることによりそのトナー像を記録用紙Ｓに定着する。
【００２７】
このような構成において、このカラープリンタ１の基本的な動作について説明する。光書込ユニット４の半導体レーザーから画像データに応じたレーザー光が出射され、このレーザー光が各感光体１０の表面に照射されることにより各感光体１０上に静電潜像が形成される。この静電潜像に対して現像装置１２から供給されたトナーが付着し、トナー像として顕像化される。このトナー像は、感光体１０と同期して移動する中間転写ベルト１４上に一次転写ローラ１６の転写作用で転写される。そして、各感光体１０上に形成された異なる色のトナー像が中間転写ベルト１４上に順次転写されることにより、中間転写ベルト１４上にはカラートナー像が形成される。
【００２８】
中間転写ベルト１４上のカラートナー像は、給紙カセット５から給紙されて二次転写ローラ９と中間転写ベルト１４との間の転写位置に送り込まれた記録用紙Ｓに二次転写ローラ９の転写作用で転写される。カラートナー像が転写された記録用紙媒体Ｓは定着装置６で定着処理され、定着処理後に装置本体２の上面部に形成されている排紙トレイ１９上に排紙される。
【００２９】
このような構成の下、本実施の形態の特徴的部分について順次説明する。装置本体２内には、電装ユニット２０が着脱可能に取り付けられている。この電装ユニット２０は、支持体２１、支持体２１に支持されてカラープリンタ１を構成する構成部材である電装基板２２、複合高圧電源２３、エンジンボード２４等により構成されている。
【００３０】
さらに、支持体２１には、除湿ヒータ２５が取り付けられている。この除湿ヒータ２５は、装置本体２内を除湿し、記録用紙Ｓに含まれる水分を除去することを目的として使用される。支持体２１への除湿ヒータ２５の取り付けは、支持体２１に形成されたネジ穴２６と除湿ヒータ２５に形成された取付穴２７とを位置合わせし、取付穴２７に挿通したネジ２８をネジ穴２６に螺合させることにより行われる。
【００３１】
電装基板２２と除湿ヒータ２５とは配線２９により接続されている。支持体２１には除湿ヒータ２５をオン、オフさせるスイッチ３０が取り付けられており、このスイッチ３０は配線２９の途中に位置付けられている。これにより、除湿ヒータ２５の配線は、支持体２１上で完結していることになる。
【００３２】
このような構成において、除湿ヒータ２５を新たに取り付ける場合には、装置本体２に取り付けられている電装ユニット２０を装置本体２から取り外し（図２参照）、支持体２１の先端部にネジ２８を用いて除湿ヒータ２５を固定する。支持体２１上に支持された除湿ヒータ２５は、電装基板２２と配線２９で接続され、この配線２９の途中にスイッチ３０が位置付けられ、これにより、除湿ヒータ２５の配線が支持体２１上で完結されている。
【００３３】
また、支持体２１上に除湿ヒータ２５が取り付けられた電装ユニット２０が装置本体２に取り付けられている状態において、除湿ヒータ２５、電装基板２２、複合高圧電源２３、エンジンボード２４等のメンテナンス時には、装置本体２に取り付けられている電装ユニット２０を装置本体２外に取り出す。
【００３４】
ここで、支持体２１に除湿ヒータ２５を取り付ける場合や、支持体２１から除湿ヒータ２５を取り外す場合には、電装ユニット２０を装置本体２外に取り外し、装置本体２から取り外した電装ユニット２０の支持体２１に対して除湿ヒータ２５を着脱する。このため、支持体２１に対する除湿ヒータ２５の取り付けや取り外しを行う場合の作業の視認性が良くなり、支持体２１に対する除湿ヒータ２５の着脱作業を手間をかけず容易に行える。
【００３５】
また、支持体２１除湿ヒータ２５を取り付ける際に行うべき除湿ヒータ２５への給電のための配線を、電装基板２２との間で行えるので、その配線作業を手間をかけず容易に行える。
【００３６】
さらに、除湿ヒータ２５に関する配線が支持体２１上で完結しているので、装置本体２に電装ユニット２０を着脱する場合において、除湿ヒータ２５に接続されている配線のコネクタ部分を外したり接続したりする必要がなく、電装ユニット２０を装置本体２に対して着脱する作業が簡便化される。
【図面の簡単な説明】
【００３７】
【図１】画像形成装置であるカラープリンタの内部の概略構造を示す正面図である。
【図２】電装ユニットをプリンタの装置本体から取り外した状態を示す分解斜視図である。
【図３】除湿ヒータが取り付けられた電装ユニットを示す斜視図である。
【符号の説明】
【００３８】
２      装置本体
５      用紙収容部
２１      支持体
２２      構成部材、電装基板
２５      除湿ヒータ
Ｓ      記録用紙
【図１】
2005084189.tif 000003
【図２】
2005084189.tif 000004
【図３】
2005084189.tif 000005